(57)【要約】【課題】長袖の衣服のデザイン性を損なうことを抑制しながら、袖口周りの長さを伸縮させて袖をたくし上げることができる長袖の衣服の提供を図る。【解決手段】袖口スリット２２の両側のボタン２３とボタンホール２４などの係止部を止めた係止状態で、その袖口周りの長さを伸縮させることができ、袖口スリット２２を開かない袖口閉止状態を保ったまま、袖１０を肘側にたくし上げた形態とすることができるように構成された長袖の衣服を提供する。カフス２１は、弾性芯地２７とその表裏に配置された伸縮性のある表地２５及び裏地２６を備え、弾性芯地２７はたくし上げた形態を維持することができる弾力性を備える。【選択図】図３
0003216081.tif 000002
【実用新案登録請求の範囲】
【請求項１】
袖口スリットを開閉可能に閉じ合わせる係止部を備えたカフス付きの長袖の衣服において、
前記カフスは前記係止部を止めた係止状態で、その袖口周りの長さを伸縮させることができ、その袖口周りの長さを伸した状態で前記係止状態を保ったまま、且つ、前記袖口スリットを開かない袖口閉止状態を保ったまま、袖を肘側にたくし上げた形態とすることができるように構成されたことを特徴とする長袖の衣服。
【請求項２】
前記カフスは、袖本体の先端に設けられたもので、弾性芯地と前記弾性芯地の表裏に配置された表地及び裏地を備え、
前記表地、前記裏地及び前記弾性芯地は、前記係止状態と袖口閉止状態を保ったまま袖を肘側にたくし上げることができる伸縮性を備え、
前記弾性芯地は、前記たくし上げた形態を維持することができる弾力性を備えたことを特徴とする請求項１記載の長袖の衣服。
【請求項３】
前記カフスの前記表地及び前記裏地は、前記袖口周りの長さ方向に前記袖本体の伸縮性と等しいかそれよりも大きな伸縮性を備え、且つ、前記袖口周りの長さ方向に前記弾性芯地よりも小さな弾力性を備え、
前記袖本体は、前記表地及び前記裏地に対して前記袖口周りの長さ方向に複数のタックを設けて縫合されていることを特徴とする請求項２記載の長袖の衣服。
【請求項４】
前記カフスは、前記袖口周りの長さ方向において、前記係止部が設けられたスリット付近領域と、前記スリット付近領域の間の中間領域とを備え、
前記弾性芯地は、前記中間領域に配置され且つスリット付近領域には配置されていないことを特徴とする請求項２又は３に記載の長袖の衣服。
【請求項５】
前記係止部が前記袖口スリットの両側に配置されたボタンとボタンホールであり、前記衣服が長袖のシャツであることを特徴とする請求項１〜４の何れかに記載の長袖の衣服。
【考案の詳細な説明】
【技術分野】
【０００１】
本考案は、長袖の衣服、特に運動量の大きな学生等が着用するのに適した袖を容易にたくし上げることができる長袖のシャツなどの衣服に関するものである。
【背景技術】
【０００２】
袖をたくし上げることができる長袖シャツなどの衣服にあっては、特許文献の１〜６に示すものが提案されている。
特許文献１、２にあっては、カフスをゴム編などの伸縮性の高い編地によって構成ることにより、袖をたくし上げることができるようにすることが提案されているが、伸縮性の高い編地ではカッターシャツの外観を維持することができるものではなく、セーターやトレーニングウェアを上着の下に着込んでいるような印象を与えてしまうものであった。
【０００３】
特許文献３〜６にあっては、袖口スリットの両側にゴム状の弾性帯を渡すことによって、弾性帯の伸縮によって袖をたくし上げることができるようにすることが提案されているが、たくし上げた状態では、袖口スリットが開いてしまい弾性帯が外部から見えるなど、外観の維持に課題を残すものであった。
【先行技術文献】
【特許文献】
【０００４】
【特許文献１】登録実用新案第3057271号公報
【特許文献２】登録実用新案第3124518号公報
【特許文献３】登録実用新案第3174287号公報
【特許文献４】登録実用新案第3159748号公報
【特許文献５】特開2002-266136号公報
【特許文献６】特開2009-102772号公報
【考案の概要】
【考案が解決しようとする課題】
【０００５】
本考案の目的は、袖口スリットの両側にボタンとボタンホールを備えたカフスを有する長袖の衣服のデザイン性を損なうことを抑制しながら、袖口周りの長さを伸縮させて袖をたくし上げることができる長袖のシャツなどの衣服の提供を図ることにある。
【課題を解決するための手段】
【０００６】
本考案は、袖口スリットの両側にボタンとボタンホールなどの係止部を備えたカフスを有する長袖の衣服において、前記カフスは前記ボタンと前記ボタンホールなどの係止部同士を止めた係止状態で、その袖口周りの長さを伸縮させることができ、その袖口周りの長さを伸した状態で前記係止状態を保ったまま、且つ、前記袖口スリットを開かない袖口閉止状態を保ったまま、袖を肘側にたくし上げた形態とすることができるように構成されたことを特徴とする長袖の衣服を提供することによって、上記の課題を解決することができたものである。
【０００７】
前記カフスは、袖本体の先端に設けられたもので、弾性芯地と前記弾性芯地の表裏に配置された表地及び裏地を備え、前記表地、前記裏地及び前記弾性芯地は、前記係止状態と袖口閉止状態を保ったまま袖を肘側にたくし上げることができる伸縮性を備え、前記弾性芯地は、前記たくし上げた形態を維持することができる弾力性を備えたものとして実施することができる。
前記カフスの前記表地及び前記裏地は、前記袖口周りの長さ方向に前記袖本体よりも大きな伸縮性を備え、且つ、前記袖口周りの長さ方向に前記弾性芯地よりも小さな弾力性を備え、前記袖本体は、前記表地及び前記裏地に対して前記袖口周りの長さ方向に複数のタックを設けて縫合されているものとして実施することができる。
【０００８】
前記カフスは、前記袖口周りの長さ方向において、前記ボタン及び前記ボタンホールが設けられたスリット付近領域と、前記スリット付近領域の間の中間領域とを備え、前記弾性芯地は、前記中間領域に配置され且つスリット付近領域には配置されていないものとして実施することができる。
【考案の効果】
【０００９】
本考案の長袖の衣服は、前記ボタンと前記ボタンホールなどの係止部同士を止めた係止状態を維持しながらでも、袖口周りの長さを伸縮させて袖をたくし上げることができると同時に袖口スリットを開かない袖口閉止状態を保ったままで袖をたくし上げることができる。
【００１０】
よって、本考案は、袖口スリットの両側にボタンとボタンホールなどの係止部を備えたカフスを有する長袖の衣服のデザイン性を損なうことを抑制しながら、袖口周りの長さを伸縮させて袖をたくし上げることができる長袖の衣服を提供することができたものである。
【図面の簡単な説明】
【００１１】
【図１】本考案の実施の形態に係るシャツの説明図であって、中心線から右半分が正面の形態、左半分が背面の形態を示す。
【図２】同シャツの袖先端における袖口閉止状態の背面からの要部拡大図。
【図３】同シャツの袖先端における袖口スリットを開いた状態の背面からの要部拡大図。
【考案を実施するための形態】
【００１２】
以下、図面に基づき本考案の実施の形態を説明する。
（全体の形態）
この実施の形態に係る長袖衣服は、ワイシャツやカッターシャツと呼ばれる事務用の長袖シャツであって、左右の袖１０は、袖本体１１とタック１２とから構成されている。長袖シャツの身頃は薄手の織物地やシャツ用ニット地から構成され、袖本体１１も同じく薄手の織物地やシャツ用ニット地から構成される。襟の形状は種々変更して実施することができるものであり、襟の開いた開襟衣服であっても構わないし、セーラー襟を備えたセーラー服としても実施することもできる。
【００１３】
（袖口の形態）
袖１０の袖口は、事務用シャツの一般的な特徴を備えたもので、図２及び図３に示すように、カフス２１は、袖口スリット２２の両側に係止部としてボタン２３とボタンホール２４を備えるが、係止用ホックなどの他の衣服用係止具を係止部として用いてもかまわない。袖口スリット２２は、カフス２１から袖本体１１の前腕部まで連続して設けられている。
【００１４】
この長袖シャツを袖１０の伸ばした通常の長袖の状態で着用する場合には、図２に示すように、カフス２１はボタン２３をボタンホール２４に止めた係止状態で着用されると共に袖口スリット２２を開かない袖口閉止状態で着用される。
なお、図では１つのボタンホール２４に対して１つのボタン２３を設けたが、１つのボタンホール２４に対して袖口周りの長さ方向（図の横方向）に２以上の設けたものでも構わないし、袖の長手方向（図の縦方向）に複数組のボタンホール２４及びボタン２３を設けたものでも構わない。また、常法に従って袖本体１１の前腕部の袖口スリット２２には、剣ボロ３０を形成し、必要に応じてボタンとボタンホールを設けても構わない。
カフス２１は、表地２５と裏地２６が縫着されたもので、外観上は一般の事務用シャツと同様の形態を示す。
【００１５】
（伸縮のための構造）
本考案の実施の形態に係る長袖シャツは、図２に示す係止状態と袖口閉止状態のままで、袖を肘側にたくし上げた形態とすることができるように構成されている。たくし上げた形態とは、袖口を肘の上側にまで上げた形態であることが最も適切ではあるが、ずり落ちないことを条件に袖口を肘の下側にまで上げた形態を含むものである。
【００１６】
具体的には、カフス２１は、表地２５と裏地２６の間に弾性芯地２７が配置されている。従って弾性芯地２７は表地２５と裏地２６に隠れて外部からは全く見えないが、説明の都合上、図では点線の網掛けで弾性芯地２７を図示した。この弾性芯地２７は、たくし上げた形態を維持することができる弾力性を備えるもので、例えば、スパンデックス糸やゴム糸を用いた帯状テープや弾性接着芯地などを例示することができる。
【００１７】
（伸縮性と弾力性）
ここで、袖本体１１と、カフス２１の表地２５および裏地２６と、弾性芯地２７との伸縮性と弾力性について説明する。この実施の形態に係る長袖シャツが達成すべき袖口の課題は、係止状態と袖口閉止状態を維持しながらたくし上げた形態に無理なくすることができる点、たくし上げた形態を維持することができる点、長袖の着用状態でもカフス２１の美しさを維持することができ皺の発生を抑制することができる点の３つの点にある。
【００１８】
第１の係止状態と袖口閉止状態を維持しながらたくし上げた形態に無理なくすることができる点からは、カフス２１の表地２５および裏地２６の伸縮性と、弾性芯地２７の伸縮性が、縮んだ状態から  ２０％以上（６０mm以上）伸びることができることが好ましい。このような伸縮性を満足する表地２５および裏地２６の素材としては、シャツ用のニット素材や、ソロテックス（登録商標）に代表されるＰＴＴ繊維などを例示することができる。
【００１９】
なお、袖本体１１については、表地２５および裏地２６の伸縮性と同等の伸縮性を備えたものであっても構わないし、伸縮性がない織物地であっても伸ばした状態の表地２５および裏地２６の袖口周りの長さと同じ長さにしておいてタックを入れて表地２５および裏地２６と縫合することにより、表地２５および裏地２６の伸縮に追従するようにしておいても構わない。
【００２０】
第２のたくし上げた形態を維持することができる点からは、カフス２１の表地２５および裏地２６の伸縮性だけでは足りず、弾性芯地２７の弾力性が十分であることが求められる。表地２５および裏地２６のシャツ用のニット素材では、たくし上げた形態になるように伸びることはできるが、その状態を維持するだけの締め付ける力が足らずにずり落ちてしまうことが想定されるため、前述の弾性素材から弾性芯地２７を構成することによって、たくし上げた形態を維持するものである。
【００２１】
第３の長袖の着用状態でもカフス２１の美しさを維持することができ皺の発生を抑制することができる点からは、表地２５および裏地２６は、縮んだ状態でも伸びた状態でも皺が発生しない伸縮性を備えたものであることが適当である。この観点からは、表地２５および裏地２６は、弾性芯地２７よりも小さな弾力性を備えるものであることが適当であり、次の位置に配置されることが好ましい。
【００２２】
（弾性芯地２７の位置）
カフス２１は、袖口周りの長さ方向において、ボタン２３及びボタンホール２４が設けられたスリット付近領域Ｓと、スリット付近領域Ｓの間の中間領域Ｔとを備えるものとし、弾性芯地２７は、中間領域Ｔに配置されスリット付近領域Ｓには配置されていないことが好ましい。そして望ましくは袖口周りの長さの半分以上の長さ、より望ましくは袖口周りの長さの４分の３以上の長さの領域にわたって設けるようにする。これによって、カフス２１の略全体にわたって伸縮を無理なく行わせるとともに、ボタン２３とボタンホール２４の着脱操作をスムーズにし、皺の発生が生じやすいスリット付近領域Ｓの縫製を確実にして、収縮時にもその影響を受けにくいようにして、美しい外観を維持させることができる。
【００２３】
また袖の長さ方向においては、細幅のテープで弾性芯地２７を構成してもかまわないが、表地２５及び裏地２６の全長の８０〜１００％にわたって弾性芯地２７を配置することが、カフス２１の略全体にわたって伸縮を無理なく行わせて、皺の発生を抑制することができる点で好ましい。
【００２４】
弾性芯地２７は、袖口周りの長さ方向の両端を表地２５と裏地２６との少なくとも何れか一方に固定するものでも構わないが、袖口周りの長さ方向の全長に渡って表地２５と裏地２６に固定することが皺の発生を抑制することができる点で好ましいし、全面を表地２５と裏地２６との少なくとも何れか一方に接着することも好ましい。
【符号の説明】
【００２５】
10  袖
11  袖本体
12  タック
21  カフス
22  袖口スリット
23  ボタン
24  ボタンホール
25  表地
26  裏地
27  弾性芯地
28  スリット付近領域
29  中間領域
30  剣ボロ
【図１】
0003216081.tif 000003
【図２】
0003216081.tif 000004
【図３】
0003216081.tif 000005